(57)【要約】      （修正有）【課題】花粉はもとより、様々な大きさのウイルスや微小粒子状物質等の捕集が可能なマスク用不織布、及びマスクを提供する。【解決手段】マスクは、帯電性を有する不織布１１と、不織布上面に形成されたナノファイバーシート１２とから構成されるマスク用不織布１０を備える。ナノファイバーシートの平均繊維径は１μｍ未満であり、不織布は、ポリプロピレン系繊維及び／又はポリエチレン系繊維からなる。【選択図】図１
0003221348.tif 000002
【実用新案登録請求の範囲】
【請求項１】
帯電性及びナノファイバーを有することを特徴とするマスク用不織布。
【請求項２】
前記ナノファイバーの平均繊維径が１μｍ未満である請求項１記載のマスク用不織布。
【請求項３】
不織布が、ポリプロピレン系繊維及び／又はポリエチレン系繊維からなる不織布である請求項１又は２記載のマスク用不織布。
【請求項４】
請求項１〜３のいずれか１項記載のマスク用不織布を備えていることを特徴とするマスク。
【請求項５】
前記マスクが、マスク本体にプリーツ加工が施された立体型のマスクである請求項４記載のマスク。
【考案の詳細な説明】
【技術分野】
【０００１】
本考案は、マスク用不織布及びそれを備えたマスクに関する。
【背景技術】
【０００２】
近年、花粉のみならず、ウイルスや微小粒子状物質（ＰＭ２．５）等の大気汚染物質の捕集を目的としたマスクが提案されている。
例えば、静電気の帯電加工を施した不織布によりウイルスや微小粒子状物質を吸着・捕捉するマスクが知られている。また、平均繊維径が数百〜数千ナノメートルの超微細繊維であるナノファイバー不織布を使用したマスクが知られている（例えば、特許文献１）。
【先行技術文献】
【特許文献】
【０００３】
【特許文献１】特開２０１５−１９６２６３号公報
【考案の概要】
【考案が解決しようとする課題】
【０００４】
しかしながら、従来の帯電加工を施した不織布では吸引され難い０．３μｍ程度の粒子の捕集力が弱く、他方、平均繊維径が数百ナノメートル程度のナノファイバー不織布では０．１μｍよりも小さい粒子の捕集力が弱いのが実状であった。
本考案は、上記の如き従来の実状に鑑みてなされたものであり、花粉はもとより、様々な大きさのウイルスや微小粒子状物質等の捕集が可能なマスクを提供することを課題としている。
【課題を解決するための手段】
【０００５】
本考案者は、上記の課題を解決すべく鋭意検討を重ねた結果、帯電性とナノファイバーの双方を有する不織布によりマスクを形成すれば、極めて良い結果が得られることを見い出し、本考案を完成した。
【０００６】
すなわち、本考案は、帯電性及びナノファイバーを有することを特徴とするマスク用不織布により上記課題を解決したものである。
また、本考案は、前記マスク用不織布を備えていることを特徴とするマスクにより上記課題を解決したものである。
【考案の効果】
【０００７】
本考案のマスク用不織布は、帯電性とナノファイバーを有しているため、空気中に浮遊する花粉やウイルス、微小粒子状物質等の大気汚染物質の捕集力に優れる。よって、これにより、花粉、ウイルス、大気汚染物質等の体内への侵入を防ぐマスクを提供することができる。
【図面の簡単な説明】
【０００８】
【図１】本考案マスク用不織布の説明図。
【図２】本考案マスクの内側（顔面に触れる側）の正面説明図。
【考案を実施するための形態】
【０００９】
以下本考案の実施の形態を図面と共に説明する。
【００１０】
本考案マスク用不織布の実施の形態を示す図１において、１０はマスク用不織布で、不織布１１と、当該不織布１１を基材としてポリマーを繊維化、シート状に付着・集積させたナノファイバー１２とから構成されている。当該マスク用不織布１０は電荷を保持、すなわち帯電性を有している。
【００１１】
不織布への帯電性の付与は、例えば、摩擦帯電法、コロナ放電法、ハイドロチャージング法、ラジオエレクトレット法等の帯電（エレクトレット）加工により行うことができる。また、上記以外にも任意に選択することができる。本考案において、不織布への帯電性の付与は、ナノファイバー１２を集積する前であってもよく、ナノファイバー１２を集積した後であってもよい。
【００１２】
不織布１１は、一般にマスクの材料として周知のものを用いることができる。例えば、ポリエステル系繊維、ポリプロピレン系繊維、ナイロン系繊維、ウレタン系繊維、ポリエチレン系繊維、ポリアミド系繊維、レーヨン、コットン、羊毛等からなる不織布が挙げられる。なかでも、自然帯電を受けやすいポリプロピレン系繊維及び／又はポリエチレン系繊維からなる不織布が好ましい。
【００１３】
不織布１１の目付は、生産性、粒子捕集力、通気性の観点から、３〜４０ｇ／ｍ２であることが好ましく、６〜３０ｇ／ｍ２であることがより好ましく、１０〜２０ｇ／ｍ２であることが特に好ましい。この目付が３ｇ／ｍ２以上であると、不織布の製造性が向上し、粒子捕集力が向上するため好ましい。また、目付が４０ｇ／ｍ２以下であると、通気性が向上するため好ましい。
【００１４】
また、不織布１１の平均繊維径は、０．１μｍ以上であることが好ましく、０．１〜２００μｍであることが好ましく、０．２〜１００μｍであることがより好ましく、０．３〜５０μｍであることが特に好ましい。
【００１５】
また、不織布１１の厚さは、０．０５〜１ｍｍであることが好ましく、０．０６〜０．８ｍｍであることがより好ましく、０．０７〜０．６ｍｍであることが特に好ましい。この厚みが０．０５ｍｍ以上であると、不織布の強度が向上し、また粒子捕集力も向上するため好ましい。また、厚みが１ｍｍ以下であると、通気性が良好になるため好ましい。
【００１６】
ナノファイバー１２は、セルロース、ポリビニルアルコール、ポリエチレンビニルアルコール、ポリエチレングリコール、ポリビニルピロリドン、ポリ−ε−カプロラクトン、ポリアクリロニトリル、ポリ乳酸、ポリカーボネート、ポリアミド、ポリイミド、ポリエチレン、ポリプロピレン、ポリエチレンテレフタレート、ポリフッ化ビニリデン、ポリスチレン、ポリエチレンオキサイド、ポリブチレンテレフタレート、ポリエチレンナフタレート、ポリ−ｍ−フェニレンテレフタレート、ポリ−ｐ−フェニレンイソフタレート、ポリフッ化ビニリデン−ヘキサフルオロプロピレン共重合体、ポリ塩化ビニル、ポリ塩化ビニリデン−アクリレート共重合体、ポリアクリロニトリル−メタクリレート共重合体、ポリアリレート、ポリエステルカーボネート、アラミド、ポリグリコール酸、コラーゲン、ポリヒドロキシ酪酸、ポリ酢酸ビニル、ポリペプチド等のポリマーを単独あるいは２種以上を混合して、公知の方法により形成することができる。
【００１７】
形成方法としては、特開２００３−７３９６４号公報、国際公開第２０１２／１５３８０６号パンフレット、特開２０１４−５５３６７号公報に記載のエレクトロスピニング(電界紡糸・静電紡糸)法や、特許第３９１８１７９号公報、特開２００８−１６９５２１号公報に記載のエレクトロバブルスピニング法を採用することができる。
【００１８】
ナノファイバー１２の平均繊維径は１μｍ未満であるが、生産性、通気性の観点から、好ましくは２０〜５００ｎｍ、より好ましくは３０〜１５０ｎｍ、更に好ましくは４０〜１００ｎｍ、特に好ましくは５０〜９０ｎｍである。尚、ナノファイバーの平均繊維径は、走査型電子顕微鏡（ＳＥＭ）観察によって測定することができる。
【００１９】
また、ナノファイバー１２の厚さは、３〜１００μｍであることが好ましく、５〜８０μｍであることがより好ましく、１０〜５０μｍであることが特に好ましい。
【００２０】
次に、図２を用いて、上記マスク用不織布１０を備えた本考案マスクについて説明する。
図２において、２０はマスクで、使用者の顔面の一部（例えば、口や鼻孔の周辺）を覆うためのマスク本体２１と、当該マスク本体２１の両側に取り付けられた、細紐製の耳掛け部２２によって構成されている。
マスク２０は所謂「プリーツ加工型」と呼ばれる形態のもので、マスク本体２１は、複数（図２では４本）の横方向の折り目２４から形成されるプリーツ（襞）２５を有している。当該プリーツ２５は、使用前では２つの略Ω字状に折り畳まれており、これを使用時に展開するとマスク２０の外側に向かって膨らむ立体形状となるように構成されている。このように、マスク本体２１がプリーツ加工されることで、使用者の口元がマスク本体２１の内側面と物理的に接触することが少なくなるので、装着時の呼吸や会話の妨げになり難くなる。
【００２１】
本考案マスク用不織布１０によりマスク２０を形成することで、粉塵、花粉、ウイルス、タバコの煙等の有害成分を電気的に吸着することができ、また、電気的吸着し難しい粒子の捕集もできる。
【００２２】
マスク本体２１の構造は単層構造であってもよいが、本考案マスク用不織布１０と他の織布や不織布を積層して、２層以上、好ましくは３層〜５層の多層構造としてもよい。
マスク本体２１は、例えば、縫製、超音波溶着、熱融着等により適宜形成することができる。
マスク本体２１の寸法は、顔のサイズを考慮して適宜決定すればよい。
【００２３】
マスク２０には、目的に応じて、マスク本体２１の上辺部分にノーズフィッター２３を設けることができる。また、マスク本体２１の中央部にマウスバーを設けてもよい。ノーズフィッターやマウスバーとしては、金属製、ポリエチレン製またはポリプロピレン製等から形成されるテープを使用することができる。 
【００２４】
耳掛け部２２の材料としては、ウレタン系繊維、ナイロン系繊維、ポリエステル系繊維、ポリプロピレン系繊維等からなる織布、不織布、又は編紐が挙げられる。 
【００２５】
上記した実施形態においては、マスク本体にプリーツ加工が施された立体型のマスク２０を一例として示したが、マスク本体２１の形状は平面型マスクであってもよい。使用感の観点からは、立体型マスクが好ましい。マスク本体の中心部で２枚のシート部材を合掌形様に接合した所謂立体成形型マスクと呼ばれる形態のマスク等にも本考案を適用することができる。
【符号の説明】
【００２６】
１０：マスク用不織布
１１：不織布
１２：ナノファイバー
２０：マスク
２１：マスク本体
２２：耳掛け部
２３：ノーズフィッター
２４：折り目
２５：プリーツ
【図１】
0003221348.tif 000003
【図２】
0003221348.tif 000004
【手続補正書】
【提出日】平成31年3月13日(2019.3.13)
【手続補正１】
【補正対象書類名】実用新案登録請求の範囲
【補正対象項目名】全文
【補正方法】変更
【補正の内容】
【実用新案登録請求の範囲】
【請求項１】
帯電性を有する不織布と、当該不織布上面に形成されたナノファイバーシートとから構成されていることを特徴とするマスク用不織布。
【請求項２】
前記ナノファイバーシートの平均繊維径が１μｍ未満である請求項１記載のマスク用不織布。
【請求項３】
不織布が、ポリプロピレン系繊維及び／又はポリエチレン系繊維からなる不織布である請求項１又は２記載のマスク用不織布。
【請求項４】
請求項１〜３のいずれか１項記載のマスク用不織布を備えていることを特徴とするマスク。
【請求項５】
前記マスクが、マスク本体にプリーツ加工が施された立体型のマスクである請求項４記載のマスク。